(57)【特許請求の範囲】
【請求項１】
扉枠を縦に仕切る中枠を設け、この中枠と一方の扉枠縦材との面外に扉パネルを取付け、扉パネルを閉めた状態では扉パネル側に設けたパッキングを扉枠面と中枠面に当接させ、中枠と他の一方の扉枠縦材との面外に、扉パネルと並ぶ袖パネルを取付け、該袖パネルに明かり窓を形成するとともに中枠と他の一方の扉枠縦材との間には玄関ホールの照明と連動して点灯・消灯する照明を組み込み、袖パネルまたはその奥の中枠と他の一方の扉枠縦材との間に表札、インターホン、郵便受けボックスを組み込むことを特徴とする免震扉。
【発明の詳細な説明】
【０００１】
【産業上の利用分野】
本発明は、扉で免震性を備えた免震扉に関するものである。
【０００２】
【従来の技術】
マンションや事務所等の扉は通常、図15に示すように扉枠１に面内に扉２が納まるように取り付けられ、扉２側に取り付ける錠３はそのラッチ３ａが扉枠１に差し込まれることで施錠される。
【０００３】
【発明が解決しようとする課題】
しかし、図16に示すように地震時などで扉枠１に外力が加えられこれが変形すると、扉２が扉枠１に挟まれ、開放できなくなり、その結果、安全に避難することもできなくなることもある。
【０００４】
また、扉枠１と扉２との隙間からラッチ３ａの存在が看取でき、不用心である。
【０００５】
本発明の目的は前記従来例の不都合を解消し、地震時などで扉枠に変形をきたしても開放に支障をきたすことがなく、また、錠のラッチも外部より見えることがないので防犯性も高い免震扉を提供することにある。
【０００６】
【課題を解決するための手段】
本発明は前記目的を達成するため、扉枠を縦に仕切る中枠を設け、この中枠と一方の扉枠縦材との面外に扉パネルを取付け、扉パネルを閉めた状態では扉パネル側に設けたパッキングを扉枠面と中枠面に当接させ、中枠と他の一方の扉枠縦材との面外に、扉パネルと並ぶ袖パネルを取付け、該袖パネルに明かり窓を形成するとともに中枠と他の一方の扉枠縦材との間には玄関ホールの照明と連動して点灯・消灯する照明を組み込み、袖パネルまたはその奥の中枠と他の一方の扉枠縦材との間に表札、インターホン、郵便受けボックスを組み込むことを要旨とするものである。
【０００７】
【作用】
本発明によれば、扉枠に対し枠の面外に扉パネルを取付けたので扉枠が変形しても扉パネルを挟み込んで拘束することはなく、開放するのに支障とならない。また、面付錠を内側に設けることになり、錠のラッチも外部より見えない。
【０００８】
さらに、前記のように扉パネルが外付けタイプのためゴムパッキングと扉枠との当りが十分であり、気密性、遮音性が高い。扉開口巾の有効寸法は上下・左右戸当たりがないので大きく取れる。また、扉枠が単純なので加工性がよい。
【０００９】
前記作用に加えて、中枠が扉枠変形時の緩衝材の役割を果たす。
【００１０】
また、外観が扉パネルと袖パネルだけが前面に見え、扉枠や中枠は扉パネルが後ろに隠れるため、すっきりしたデザインとなる。
【００１１】
さらに、住人が玄関ホールの照明を点けると中枠と他の一方の扉枠縦材との間に設けた照明も点灯し、これが袖パネルの明かり窓から外を照らすので、住人がきたことを来客に知らせ、心理的に余裕を与えることができる。
【００１２】
これに加えて、表札、インターホン、郵便受けボックスは袖パネルまたはその奥の中枠と他の一方の扉枠縦材との間に組み込むことができ、場所を取らないですむとともにデザイン的にもすっきりしたものとすることができる。
【００１３】
【実施例】
以下、図面にもとづいて本発明の実施例を詳細に説明する。図１は本発明の免震扉の概略を示す平面図、図２は同上収まりのバリエーションを示す平面図、図３は地震時等の変形を示す説明図である。
【００１４】
図１に示すように扉枠４に対し枠の面外に扉パネル５を取付け、また、扉パネル５の内側面周辺近くにゴムパッキング６を設け、扉パネル５を閉めた状態ではこのゴムパッキング６は扉枠１の面に当接させるものとした。なお、図示は省略したが扉パネル２はその端部に蝶番を設け、これで開閉可能に扉枠４に取り付く。
【００１５】
また、面付錠７は扉パネル５の内側面に設け、そのラッチ７ａは扉パネル５の内側で扉枠１に差し込まれるものとした。
【００１６】
図中８は壁であるが、扉枠４には中空のチャンネル材を使用し、壁８はその現場打ちのコンクリートがこの扉枠４内に入り込んで一体性を高める。また、本発明の免震扉は図２に示すようにコーナー部等に設置する場合もある。
【００１７】
図１や図２に示すように扉枠４対し枠の面外に扉パネル５を取付けるようにすれば、図３に示すように地震時等に扉枠４が外力を受けて変形しても扉パネル５を挟み込んで拘束することはなく、扉パネル５を開放するのに支障とならない。また、面付錠７のラッチ７ａも外部より見えないですむ。
【００１８】
図４〜図６に示すように、扉枠４を縦に仕切る中枠９を設け、この中枠９と扉枠４を構成する一方の扉枠縦材４ａとの面外に扉パネル５を取付ける。図中10は蝶番である。なお、チャンネル材である扉枠４には適宜間隔でアンカー25を溶接等で取り付け、壁８を形成するコンクリートとの一体性を高めるようにしている。また、コ字形の扉枠４の下側には沓踏26の横材を配置した。
【００１９】
扉パネル５は本実施例ではエンボス鋼板で製作し、内部にグラスウールを充填してなるが、扉パネル５の内側面周辺近くに溝11を形成し、この溝11の内にチューブ状のゴムパッキング６を設け、扉パネル５を閉めた状態ではこのゴムパッキング６を扉枠縦材４ａの面と中枠９の面に当接させるようにした。
【００２０】
扉パネル５の内側面に面付錠７を設け、そのラッチ７ａは中枠９に設けた穴に差し込まれるものとする。また、ドアクローザー12やドアーチエーンに代わるドアガード13も扉パネル５の内側面に取り付けた。
【００２１】
前記中枠９と他の一方の扉枠縦材４ａとの面外に扉パネル５と並ぶような袖パネル14を取付け、また、この中枠９と他の一方の扉枠縦材４ａとの間に形成される空間部15はその内側面を塞ぎパネル16（これは適宜開口を設け、蓋や扉を取り付けてある）で閉塞して完全に仕切られたものとする。
【００２２】
前記袖パネル14の取付けに際しても中枠９や扉枠縦材４ａに溝11を形成し、この溝11の内にチューブ状のゴムパッキング６を設け、これを袖パネル14に当接して空間部15の気密性、遮音性を高める。
【００２３】
また、図２に示すように袖パネル14には上から順に明かり窓17、表札18、インターホン19、郵便受けボックスの投入口20ａを設けるが、図７、図８に示すように明かり窓17はアクリル板17ａとメッシュシート17ｂとで構成し、その内側である前記中枠９と他の一方の扉枠縦材４ａとの間に形成される空間部15に照明21を設ける。この照明21は玄関ホールの照明と連動して点灯・消灯する。
【００２４】
表札18はアルミのパネルからなり、図13にも示すように表札差し入れ部22を袖パネル14の表面側に形成し、ここに差し入れるものとする。
【００２５】
インターホン19は図９、図10に示すように袖パネル14に嵌込むものであり、郵便受けボックス20は図11、図12に示すように中枠９と他の一方の扉枠縦材４ａとの間に本体部を形成するが、前記投入口20ａにはバネによる開閉蓋23を、また、塞ぎパネル16側には取り出し用の開閉扉24を取り付けた。
【００２６】
以上実施例は袖パネル14を扉パネル５の右側に設けた例であるが、図14に示すようにこれを左側に配置することも可能である。
【００２７】
【発明の効果】
以上述べたように本発明の免震扉は、地震時などで扉枠に変形をきたしても開放に支障をきたすことがなく、また、錠のラッチも外部より見えることがないので防犯性も高いものである。
【００２８】
さらに、扉パネルが外付けタイプのためゴムパッキングと扉枠との当りが十分であり、気密性、遮音性が高い。扉開口巾の有効寸法は上下・左右戸当たりがないので大きく取れる。また、扉枠が単純なので加工性がよい。
【図面の簡単な説明】
【図１】本発明の免震扉の概略を示す平面図である。
【図２】本発明の免震扉の概略で、収まりのバリエーションを示す平面図である。
【図３】本発明での地震時等の変形を示す説明図である。
【図４】本発明の免震扉の１実施例を示す平面図である。
【図５】本発明の免震扉の１実施例を示す正面図である。
【図６】本発明の免震扉の１実施例を示す縦断側面図である。
【図７】袖パネルとその後方部分で、照明設置個所の縦断側面図である。
【図８】袖パネルとその後方部分で、照明設置個所の横断平面図である。
【図９】袖パネルとその後方部分で、インターホン設置個所の縦断側面図である。
【図１０】袖パネルとその後方部分で、インターホン設置個所の横断平面図である。
【図１１】袖パネルとその後方部分で、郵便受けボックス設置個所の縦断側面図である。
【図１２】袖パネルとその後方部分で、郵便受けボックス設置個所の横断平面図である。
【図１３】袖パネルとその後方部分で、表札設置個所の横断平面図である。
【図１４】本発明の免震扉の他の１実施例を示す横断平面図である。
【図１５】従来例を示す横断平面図である。
【図１６】従来例での地震時等の変形を示す説明図である。
【符号の説明】
１…扉枠              ２…扉
３…錠                ３ａ…ラッチ
４…扉枠              ４ａ…扉枠縦材
５…扉パネル          ６…ゴムパッキング
７…面付錠            ７ａ…ラッチ
８…壁                ９…中枠
10…蝶番              11…溝
12…ドアクローザー    13…ドアガード
14…袖パネル          15…空間部
16…塞ぎパネル        17…明かり窓
17ａ…アクリル板      17ｂ…メッシュシート
18…表札              19…インターホン
20…郵便受けボックス  20ａ…投入口
21…照明              22…表札差し入れ部
23…開閉蓋            24…開閉扉
25…アンカー          26…沓踏
【図１】
0003580446.tif 000002
【図２】
0003580446.tif 000003
【図３】
0003580446.tif 000004
【図４】
0003580446.tif 000005
【図５】
0003580446.tif 000006
【図６】
0003580446.tif 000007
【図７】
0003580446.tif 000008
【図８】
0003580446.tif 000009
【図９】
0003580446.tif 000010
【図１０】
0003580446.tif 000011
【図１１】
0003580446.tif 000012
【図１２】
0003580446.tif 000013
【図１３】
0003580446.tif 000014
【図１４】
0003580446.tif 000015
【図１５】
0003580446.tif 000016
【図１６】
0003580446.tif 000017